(57)【要約】      （修正有）【課題】  所定の方向へ精度良く電波ビームの指向方向を切り替えるマイクロストリップアンテナを提供する。【解決手段】  基板１の前面に複数のアンテナ電極２、３と高周波信号を供給する給電線路を配置し、基板１の他面にグランドレベルを提供するための接地電極４を配置したマイクロストリップアンテナであって、少なくとも一つのアンテナ電極には所定箇所に配置したスルーホール５（接続部材）、前記アンテナ電極の前記導通部材が配置された箇所でのインピーダンスを調整する中継線路を介しアンテナ電極２、３と接地電極４との間の接続を開閉するスイッチ９が接続されている。このスイッチ９を操作することにより接地電極４に接続されたアンテナ電極から放射される電波ビームの位相と、他の接地電極４に接続されないアンテナ電極から放射される電波ビームの位相がずれ、所定の方向へ精度良く電波ビームの指向方向を切り替えることができる。【選択図】      図５
2007104026.tif 000002
【特許請求の範囲】
【請求項１】
絶縁性の基板と、
前記基板の一面に配置され、高周波信号を印加するための給電点をそれぞれもつ、複数のアンテナ電極と、
前記基板の他面又は内部に配置される、グランドレベルを提供するための接地電極と、
前記複数のアンテナ電極のうちの少なくとも一つのアンテナ電極を、前記接地電極に接続するための前記給電点とは別の少なくとも一箇所に配置される導通部材と、
前記複数のアンテナ電極のうちの少なくとも一つのアンテナ電極と前記接地電極との間の接続を開閉するスイッチと、
片端が前記導通部材と他端が前記スイッチと接続され、前記アンテナ電極の前記導通部材が配置された箇所でのインピーダンスを調整する中継線路と、
を備えていることを特徴とするマイクロストリップアンテナ。
【請求項２】
前記中継線路はコプレーナラインにて形成されていることを特徴とする請求項１記載のマイクロストリップアンテナ。
【請求項３】
高周波の電波を出力するためのマイクロストリップアンテナを用いた送信アンテナと、前記送信アンテナから出力された電波の物体からの反射波又は透過波を受信するための、前記送信アンテナと同一物の又は前記送信アンテナとは別物の受信アンテナと、前記受信アンテナからの電気信号を受けて処理する処理回路とを備えた高周波センサにおいて、
前記マイクロストリップアンテナが、
絶縁性の基板と、
前記基板の一面に配置され、高周波信号を印加するための給電点をそれぞれもつ、複数のアンテナ電極と、
前記基板の他面又は内部に配置される、グランドレベルを提供するための接地電極と、
前記複数のアンテナ電極のうちの少なくとも一つのアンテナ電極を、前記接地電極に接続するための前記給電点とは別の少なくとも一箇所に配置される導通部材と、
前記複数のアンテナ電極のうちの少なくとも一つのアンテナ電極と前記接地電極との間の接続を開閉するスイッチと、
片端が前記導通部材と他端が前記スイッチと接続され、前記アンテナ電極の前記導通部材が配置された箇所でのインピーダンスを調整する中継線路と、
を備えていることを特徴とする高周波センサ。
【発明の詳細な説明】
【技術分野】
【０００１】
本発明は、マイクロ波又はそれより高い周波数の電波を放射するマイクロストリップアンテナに関し、特に、複数のマイクロストリップアンテナから放射される統合的な電波ビームの指向方向を制御するための技術に関する。本発明はまた、マイクロストリップアンテナを用いた高周波センサに関する。
【背景技術】
【０００２】
従来より、基板の表面と裏面にそれぞれアンテナ電極と接地電極を配置し、アンテナ電極と接地電極との間にマイクロ波の高周波信号を印加することによって、アンテナ電極から垂直方向へ電波を放射させるマイクロストリップアンテナが知られている。このマイクロストリップアンテナをアレイ化し、複数のマイクロストリップアンテナから放射される統合的な電波ビームの指向方向を制御するための技術として、次のようなものが知られている。例えば、特許文献１に記載されたものは、基板の表面に複数のアンテナ電極を配置し、高周波スイッチを切替えて各アンテナ電極への高周波信号の給電線路の長さを変えることにより、統合的な電波ビームの指向方向を変化させる。すなわち、複数のアンテナ電極への給電線路の長さを違えることによって、複数のアンテナ電極からそれぞれ放射される電波の間に位相差を生じさせ、位相が遅れたアンテナの方へ統合的な電波ビームの指向方向を傾ける。また、例えば、特許文献２に記載のものは、統合的な電波ビームの指向方向の異なるアンテナ電極を複数個配置し、高周波スイッチによって、高周波信号が印加されるアンテナ電極を切替えることによって、統合的な電波ビームの指向方向を変化させる。
【０００３】
マイクロストリップアンテナから放射される電波を用いた物体検知装置が知られている。この物体検知装置においては、上記のようにしてマイクロストリップアンテナからの統合的な電波ビームの指向方向を変化させることにより、統合的な電波ビームの指向方向が固定している場合に比較して、物体の位置や様子をより正確に検知することができるようになる。例えば、マイクロストリップアンテナから放射される統合的な電波ビームの指向方向をＸＹ方向に変えて２次元範囲をスキャンさせることにより、２次元範囲にわたる物体の有無や様子が把握できる。物体検知装置の用途には、例えば自動追尾ミサイルにおける目標検知や、便器装置における使用者検知など多岐にわたる。いずれの用途においても、マイクロストリップアンテナから放射される統合的な電波ビームの指向方向を変化させ得ることは、非常に有用である。例えば、便器装置における使用者検知装置の場合について述べれば、使用者の位置や状態がより正確に検知されれば、便器の洗浄装置や脱臭装置などをより適切に制御できる。ところで、使用者の状態を正確に把握する目的のみからは、むしろカメラの方が適しているかもしれないが、便器装置においてはカメラの使用は困難である。よって、電波を用いた物体検知装置で、統合的な電波ビームの指向方向を制御して使用者の様子をより正確に把握できるようにすることは、非常に重要である。因みに、日本においては、人体を検知する目的には１０．５２５ＧＨｚまたは２４．１５ＧＨｚ、また、車載用衝突防止の目的には７６ＧＨｚの周波数が使用可能である。
【０００４】
【特許文献１】特開平７−１２８４３５号公報
【特許文献２】特開平９−２１４２３８号公報
【発明の開示】
【発明が解決しようとする課題】
【０００５】
特許文献１や特許文献２で開示されている従来技術によれば、統合的な電波ビームの指向方向を変化させるために、高周波信号を伝播する給電線路をスイッチングにより切り替える必要がある。そのためには、使用される特定周波数の高周波信号に対するインピーダンスが所定の適正値に調整され伝送損失が少ない高周波スイッチを使用し適正な位置に接続する必要がある。しかしながら、周波数が高くなるほど給電線路と高周波スイッチの特性や接続状態のばらつき（例えば、基板の比率誘電率、高周波スイッチの性能、給電線路パターンのエッチング精度、及びスイッチの搭載位置等のばらつき）がアンテナ性能に大きく影響する。接続状態が悪いと高周波スイッチの接続部にて高周波信号の反射量が増大し、高周波スイッチを通過してアンテナへ供給される電力量が減少したり、位相量が変化して所望の方向へ電波ビームを放射することができなくなる。また、伝送損失の少ない高周波スイッチはかなり高価である。特に、統合的な電波ビームの指向方向を連続的または多段階に変化させる場合は多数の高周波スイッチが必要となる。しかしながら、例えば便器装置における使用者検知装置のような用途に高価な部品を多く使用することは実際的ではない。
【０００６】
従って、本発明の目的は、所定の方向へ精度良く電波ビームの指向方向を切り替えるマイクロストリップアンテナを提供することにある。
【課題を解決するための手段】
【０００７】
本発明のマイクロストリップアンテナは、絶縁性の基板と、前記基板の一面に配置され、高周波信号を印加するための給電点をそれぞれもつ、複数のアンテナ電極と、前記基板の他面又は内部に配置される、グランドレベルを提供するための接地電極と、前記複数のアンテナ電極のうちの少なくとも一つのアンテナ電極を、前記接地電極に接続するための前記給電点とは別の少なくとも一箇所に配置される導通部材と、前記複数のアンテナ電極のうちの少なくとも一つのアンテナ電極と前記接地電極との間の接続を開閉するスイッチと、片端が前記導通部材と他端が前記スイッチと接続され、前記アンテナ電極の前記導通部材が配置された箇所でのインピーダンスを調整する中継線路とを備えている。前記接続部材は、前記少なくとも一つのアンテナ電極を平面視した場合に前記少なくとも一つのアンテナ電極が占める平面領域内に入る場所に配置され、その場所にて前記アンテナ電極と前記接地電極が接続される。
このマイクロストリップアンテナによれば、複数のアンテナ電極のうち、少なくとも一つのアンテナ電極をスイッチ操作により接地電極に接続すると、接地電極に接続されたアンテナ電極から放射される電波ビームの位相と、他の接地電極に接続されないアンテナ電極から放射される電波ビームの位相がずれるため、複数のアンテナ電極から放射される統合的な電波ビームの指向方向を切り替えることができる。
【０００８】
電波ビームを比較的低速（１００ｍＳを越える）にて切り替える場合、ソレノイド等のアクチュエータをスイッチとして使用し、接地電極と導通部材とが接触状態／非接触状態になるよう適切な箇所にアクチュエータを設置すれば良い。電波ビームを比較的高速（１００ｍＳ以下）にて切り替える場合、半導体構造やＭＥＭＳ（中空）構造をもつ高周波スイッチを使用すれば良い。但し、アンテナ電極に導通部材が配置された箇所でのインピーダンス整合を気にせずに導通部材に直接、半導体構造やＭＥＭＳ（中空）構造をもつ高周波スイッチを接続すると、インピーダンス整合がずれてアンテナ電極の位相が変化し、所定の方向へ電波ビームを切替えることが困難となることがある。そこで、本発明ではアンテナ電極に導通部材が配置された箇所でのインピーダンスを調整する中継線路を設けている。そのため、スイッチが開放状態（高周波信号を遮断）のとき、複数のアンテナ電極は使用する周波数帯域において最大共振を示し、所定の位相を保持している。従って、所定の方向へ精度良く、電波ビームの指向方向を切り替えることができる。また、複数のアンテナ電極へ高周波信号を伝播する給電線路の途中経路に高周波スイッチを接続する必要がないためアンテナ電極へ伝播される高周波信号の伝送損失は少なく、効率に優れる。また、スイッチに必要な性能として、アイソレーション（特定周波数の高周波波信号を遮断する特性）が良好であれば良く、高周波信号を良好に通過させる特性を持つ必要はなく、従来技術のように厳密な適正値の入力インピーダンスをもつことは不要であるから、高価な高周波スイッチは不要である。
【０００９】
好適な実施形態においては、前記中継線路はコプレーナラインにて形成されている。
従って、高周波信号が伝播される伝送線路の長さだけでなく伝送線路の幅や伝送線路と接地電極間の空隙（スペース）によりインピーダンス調整ができる。そして、アンテナ電極からスイッチまでの伝送損失を抑えられる。
【００１０】
好適な実施形態においては、前記導通部材は前記複数のアンテナ電極のうちの少なくとも一つのアンテナ電極の一箇所に対応する前記基板の箇所を貫通する導電性のスルーホールであって、前記複数のアンテナ電極のうちの少なくとも一つのアンテナ電極の一箇所に接続された一端と、前記中継線路に接続された他端とを有し、互いに接続が容易で製造上のばらつきが少ない。
【００１１】
好適な実施形態においては、前記スイッチは前記中継線路と前記接地電極との接続箇所に配置されている。このように配置されたスイッチは、アンテナ電極の背後に隠れることになるため、電波の放射特性に悪影響を与えない。
【００１２】
本発明はまた、上述した本発明に従うマイクロストリップアンテナを用いた送信アンテナと、前記送信アンテナから出力された電波の物体からの反射波又は透過波を受信するための、前記送信アンテナと同一物の又は前記送信アンテナとは別物の受信アンテナと、前記受信アンテナからの電気信号を受けて処理する処理回路とを備えた高周波センサも提供する。
【発明の効果】
【００１３】
本発明のマイクロストリップアンテナによれば、所定の方向へ精度良く電波ビームの指向方向を切り替えることができる。
【発明を実施するための最良の形態】
【００１４】
以下、図面を参照しながら、本発明におけるマイクロストリップアンテナの実施の形態について説明する。図１は、複数のアンテナ電極を備えた一般的なマイクロストリップアンテナの斜視図である。
【００１５】
図１において、絶縁性の基板１の表面には、同じサイズで同じ矩形状のＡアンテナ電極２とＢアンテナ電極３が、形状的及び位置的に線対称の関係をもって、配置され、基板１の裏面にはほぼ全面に接地電極４が配置されている。そして、Ａアンテナ電極２及びＢアンテナ電極３の同じ側の縁に設けられた給電点Ｐ、Ｐには、給電線路１０を通じて、例えば、１０．５２５ＧＨｚの高周波電圧Ｖｆが印加される。接地電極４は接地されてグランドレベルを提供する。Ａアンテナ電極２とＢアンテナ電極３への給電線路１０の長さは同じである。なお、給電点Ｐ、Ｐは、アンテナ電極２、３の縁ではなく、アンテナ電極２、３の縁から内奥へ或る距離だけ入った位置に配置される場合もある。このような構成によって、Ａアンテナ電極２及びＢアンテナ電極３からは、それぞれ、同一電界強度の電波ビーム７、８が基板１に対して垂直な指向方向で放射される。
【００１６】
図２は、本発明のマイクロストリップアンテナの電波走査原理を示す平面図である。図３は、図２のＡ−Ａ断面図である。
【００１７】
図２、３に示すマイクロストリップアンテナは、基板１とＡアンテナ電極２とＢアンテナ電極３と接地電極４と給電線路１０と導通部材（以下、「スルーホール」という）５を有する。Ａアンテナ電極２とＢアンテナ電極３とは形状的及び位置的に線対称の関係にあり、励振方向が同じである。各アンテナ電極２、３には給電線路１０を介し高周波信号が伝播される。これに加えて、一方の電極、例えばＡアンテナ電極２、の或る一箇所２Ａが接地電極４に接続される。すなわち、Ａアンテナ電極２の上記一箇所２Ａに対応する基板１の箇所を導電体性のスルーホール５が貫通しており、このスルーホール５は、一端にてＡアンテナ電極２の上記一箇所に結合され、他端にて接地電極４に結合される。このように、Ａアンテナ電極２の上記一箇所２Ａは、スルーホール５を介して接地電極４に接続されている。このように接地電極４に接続される(又は、後に説明するスイッチやその他の電気回路により所望時に接地される）アンテナ電極の箇所を、「接地点」と呼ぶ。図２に示すアンテナ電極２、３の一辺の長さ（図中、上下方向）は、高周波信号の基板１での半波長λｇ/２と同じかやや小さく設計されている。ここで、λｇは、基板１を伝搬する高周波信号の波長である。また、真空中における高周波信号電波の波長をλ、基板１の誘電率をεｒとすると、λ＝εｒ１/２・λｇである。図２に示す例では、接地点２Ａは、Ａアンテナ電極２の給電点Ｐの延長線上、且つＡアンテナ電極２の端面近傍に配置されている。Ａアンテナ電極２から発射される電波ビームの位相は、Ｂアンテナ電極３から発射される電波ビームの位相より進み、結果として、Ａアンテナ電極２とＢアンテナ電極３から放射される統合的な電波ビームの指向方向は、図２で矢印に示すようにＢアンテナ電極３の側へ傾く。
【００１８】
図４は、本発明のマイクロストリップアンテナの第１の実施形態の平面図である。図５は、図４のＢ−Ｂ断面図である。図６は、図４に示すマイクロストリップアンテナのＡアンテナ電極２に対応する部分のみを拡大した裏面の平面図である。
【００１９】
図４、５に示すマイクロストリップアンテナは、前述した図２、３のマイクロストリップアンテナのＡアンテナ電極２の接地点２Ａに対応する基板１の箇所を導電体性のスルーホール５が貫通しており、このスルーホール５は、一端にてＡアンテナ電極２の上記一箇所に結合され、他端には接地点２Ａにおけるインピーダンスを調整する中継線路２１が結合されている。片端にスルーホール５が結合された中継線路２１の他端にはＡアンテナ電極２と接地電極４との間の接続を開閉するスイッチ９が接続されている。接地点２ＡはＡアンテナ電極２の給電点Ｐの延長線上、且つＡアンテナ電極２の端面近傍に配置されている。図４に示す例では、Ａアンテナ電極２にスルーホール５を介して接続されたスイッチ９を操作し、Ａアンテナ電極２と接地電極４を接続することにより、Ａアンテナ電極２から発射される電波ビームの位相は、Ｂアンテナ電極３から発射される電波のビームの位相より進み、結果として、Ａアンテナ電極２とＢアンテナ電極３から放射される電波ビームの指向方向が、基板１に対して垂直な指向方向から図４で矢印に示すようにＢアンテナ電極３の側へ傾く。
【００２０】
ここで、接地点２Ａにおけるインピーダンスを調整する中継線路２１の役割について説明する。図７は、図４に示すマイクロストリップアンテナのＡアンテナ電極２に対応する部分のみを拡大した断面図である。
【００２１】
図７に示されるアンテナでは、スイッチ９がオフ状態であるときのＡアンテナ電極２に接続された伝送線路の部分、すなわち、Ａアンテナ電極２の接地点２Ａから基板１の裏面のスイッチ9内の線路の終端に至るまでの伝送線路長U（より具体的には、スルーホール５、基板１裏の面上のスルーホール５からスイッチ９までの中継線路２１、及びスイッチ９内部の伝送線路２２の合計の線路長）が、λg／２×ｎ（ｎは１以上の整数）になっている（例えば、U=λg／２）。また、Ａアンテナ電極２の長さVもλg／２×ｎ（ｎは１以上の整数）になっている（例えば、V=λg／２）。スイッチ９として、半導体スイッチや機械スイッチ（例えばMEMS）のように、その内部に伝送線路２２を持ち、オン時の接点の損失が無視できる程度に小さいスイッチが採用される場合、アンテナから放射される電波の方向制御に大きく影響する要因は、スイッチ９がオン状態であるときより、むしろオフ状態であるときにおけるＡアンテナ電極２に関わる高周波特性、例えばインピーダンスまたは位相など、である。スイッチ９がオフ状態のときの伝送線路路長Uが高周波信号の二分の一波長λg／２の整数倍であるならば、Ａアンテナ電極２の接地点２ＡでのインピーダンスＺは無限大に近くなる。即ち、Ａアンテナ電極２の位相が最適な中継線路２１の接続により大きく変化することを抑制できる。
【００２２】
図８Ａと図８Ｂは、それぞれ、図４に示すアンテナにおける、スイッチ９のオン／オフ切り替えによるＡアンテナ電極２の接地点２ＡでのインピーダンスＺの変化とアンテナから放射される電波の方向とを示す。
【００２３】
図８Ａと図８Ｂの左側には、スイッチ９がオフの時の状態が示されている。図８Ａに示されるように、図４のアンテナにおいて、伝送線路長Ｕが高周波信号の二分の一波長λg／２の整数倍である場合、接地点２Ａのインピーダンスはほぼ無限大であり、電波の方向は基板に垂直である。これに対し、図８Ｂに示されるように、図４のアンテナにおいて、伝送線路長Ｕが高周波信号の二分の一波長λg／２の整数倍でない場合、接地点２Ａのインピーダンスはより低く、電波の方向は或る角度θ１だけ傾いてしまう。図８Ａと図８Ｂの右側には、スイッチ９がオンの時の状態が示されている。スイッチ９がオンの時には、いずれのアンテナでも電波は、より大きい角度θ２で傾くが、この傾き角度θ２は双方のアンテナ間であまり違わない。従って、図４のアンテナにおいて伝送線路長Ｕが高周波信号の二分の一波長λg／２の整数倍である方が、スイッチ９のオン／オフ切り替えにより得られる電波方向の変化幅が大きい。
【００２４】
接地点２Ａにおけるインピーダンスの調整は、中継線路２１の長さを変えることで容易に対応できる。また、図７に示す中継線路２１はコプレーナライン構造にて形成され、基板１に伝送線路となる配線材（例えば、銅箔）が密着した状態にある。従って、アンテナ電極からスイッチまでの伝送損失が少ない。そして、高周波信号が伝播される伝送線路の幅を変える、伝送線路と接地電極間の空隙（スペース）距離を変える、伝送線路上の一部表面に誘電体（例えば、樹脂やセラミック）を固着させる、といった後加工によってもインピーダンスの調整が容易である。
【００２５】
図９〜図１１は、本発明のマイクロストリップアンテナの第２の実施形態の平面図である。
【００２６】
図９〜図１１に示すように、基板１にＡアンテナ電極１１、Ｂアンテナ電極１２、Ｃアンテナ電極１３、及びＤアンテナ電極１４の４枚のアンテナ電極が２×２のマトリクス状に配置される。Ａアンテナ電極１１とＢアンテナ電極１２は形状的及び位置的に線対称の関係にあり、Ｃアンテナ電極１３とＤアンテナ電極１４も形状的及び位置的に線対称の関係にあり、アンテナ電極１１〜１４の励振方向は同じである。Ａアンテナ電極１１とＢアンテナ電極１２の電極パターンと、Ｃアンテナ電極１３とＤアンテナ電極１４のパターンは、形状において基本的に同一である。Ａアンテナ電極１１、Ｂアンテナ電極１２、Ｃアンテナ電極１３及びＤアンテナ電極１４への給電線路１０の長さは同一である。そして、Ａアンテナ電極１１とＢアンテナ電極１２とに分岐される給電線路１０部分と、Ｃアンテナ電極１３とＤアンテナ電極１４とに分岐される給電線路１０部分にウィルキンソンカプラー６が接続されている。Ａアンテナ電極１１の略中央の1箇所に接地点１１Ａ、Ｂアンテナ電極１２の略中央の1箇所に接地点１２Ａ、Ｃアンテナ電極１３の略中央の1箇所に接地点１３Ａ、Ｄアンテナ電極１４の略中央の1箇所に接地点１４Ａが配置され、各接地点１１Ａ〜１４Ａには（図示しない）スルーホールが貫通しており、（図示しない）中継線路を介し（図示しない）接地電極と接続を開閉する（図示しない）スイッチ９が各アンテナ電極１１〜１４に接続されている。Ａアンテナ電極１１とＣアンテナ電極１３に接続された（図示しない）スイッチを操作し、Ａアンテナ電極１１とＣアンテナ電極１３を（図示しない）接地電極に接続すると、基板１に対し垂直方向に放射されていた統合的な電波ビームが、例えば図６の右向きの矢印のように、指向方向がＡ、Ｃアンテナ電極１１、１３からＢ、Ｄアンテナ電極１２、１４へ向かう方向へと変化する。
【００２７】
また、この実施形態において、Ａアンテナ電極１１とＢアンテナ電極１２に接続された（図示しない）スイッチを操作し、Ａアンテナ電極１１とＢアンテナ電極１２を（図示しない）接地電極に接続すると、基板１に対し垂直方向に放射されていた統合的な電波ビームが、例えば図７に示す下向きの矢印のように、統合的な電波ビームの指向方向がＡ、Ｂアンテナ電極１１、１２からＣ、Ｄアンテナ電極１３、１４へ向かう方向へと変化する。
【００２８】
また、この実施形態において、Ａアンテナ電極１１に接続された（図示しない）スイッチのみを操作し、Ａアンテナ電極１１のみを（図示しない）接地電極に接続すると、基板１に対し垂直方向に放射されていた統合的な電波ビームが、例えば図８に示す右斜め下向きの矢印のように、統合的な電波ビームの指向方向がＡアンテナ電極１１からＤアンテナ電極１４へ向かう方向へと変化する。
【００２９】
上述した本発明に従うマイクロストリップアンテナは、物体の検知などのための高周波センサに応用できる。そのような高周波センサは、マイクロストリップアンテナを用いた送信アンテナと、送信アンテナから出力された電波の物体からの反射波又は透過波を受信するための受信アンテナと、受信アンテナからの電気信号を受けて処理する処理回路とを備えたる。ここで受信アンテナは送信アンテナとは別に設けることができるが、特に反射波を受信する場合には、送信アンテナを受信アンテナとしても用いることができる。
【００３０】
以上、本発明の実施形態を説明したが、この実施形態は本発明の説明のための例示にすぎず、本発明の範囲をこの実施形態にのみ限定する趣旨ではない。本発明は、その要旨を逸脱することなく、その他の様々な態様でも実施することができる。
【図面の簡単な説明】
【００３１】
【図１】複数のアンテナ電極を備えた一般的なマイクロストリップアンテナの斜視図である。
【図２】本発明のマイクロストリップアンテナの電波走査原理を示す平面図である。
【図３】図２のＡ−Ａ断面図である。
【図４】本発明のマイクロストリップアンテナの第１の実施形態の平面図である。
【図５】図４のＢ−Ｂ断面図である。
【図６】図４のＡアンテナ電極２に対応する部分のみを拡大した裏面の平面図である。
【図７】図４のＡアンテナ電極２に対応する部分のみを拡大した断面図である。
【図８】図８Ａと図８Ｂは、それぞれ、図４に示すアンテナにおいてスイッチ９のオン／オフ切り替えによるＡアンテナ電極２の接地点２ＡでのインピーダンスＺの変化とアンテナから放射される電波の方向とを示す図である。
【図９】本発明のマイクロストリップアンテナの第２の実施形態において、電波ビームを右方向に傾ける方法を示す平面図である
【図１０】同実施形態において、電波ビームを下方向に傾ける方法を示す平面図である。
【図１１】同実施形態において、電波ビームを右斜め下方向に傾ける方法を示す平面図である。
【符号の説明】
【００３２】
１  基板
２、１１  Ａアンテナ電極
３、１２  Ｂアンテナ電極
４  接地電極
５  接続部材（スルーホール）
６  分配器（ウィルキンソンカプラー）
９  スイッチ
１０  給電線路
１３  Ｃアンテナ電極
１４  Ｄアンテナ電極
２１  中継線路
２２  スイッチ内部の伝送線路
【図１】
2007104026.tif 000003
【図２】
2007104026.tif 000004
【図３】
2007104026.tif 000005
【図４】
2007104026.tif 000006
【図５】
2007104026.tif 000007
【図６】
2007104026.tif 000008
【図７】
2007104026.tif 000009
【図８】
2007104026.tif 000010
【図９】
2007104026.tif 000011
【図１０】
2007104026.tif 000012
【図１１】
2007104026.tif 000013